(57)【要約】  ピンの強度の対策と有害光の対策とを両立することができる車両室内用照明装置を提供する。  車両室内用照明装置において、導光棒（２５）は、レンズに穿孔されているピン穴に挿入されることにより導光棒（２５）とレンズとの位置決め及び固定を行うピン（２７）と、ピン（２７）の基端部（２７ａ）において光源ユニットからの光の入光側に設けられ、ピンを補強する厚肉部（２８）と、を備えている。
2019049357.tif 000002
【特許請求の範囲】
【請求項１】
車両室内に装着される内装部品に設けられて車両室内側へと照明光を出射する車両室内用照明装置において、
光を出射する光源部と、
前記内装部品に設けられ、前記光源部からの光を車両室内に向けて出射するレンズと、を有し、
前記光源部は、
光を出射する光源ユニットと、
前記光源ユニットから長さ方向の端面に入射された光を内部において伝搬させる棒状の導光体と、を有し、
前記導光体は、
前記導光体に立設され、前記レンズに穿孔されているピン穴に挿入されることにより前記導光体と前記レンズとの位置決め及び固定を行うピンと、
前記ピンの基端部において前記光源ユニットからの光の入光側に設けられ、前記ピンを補強する厚肉部と、
を備える車両室内用照明装置。
【請求項２】
前記ピンは円柱形状を有し、
前記厚肉部は、前記ピンの中心を通って前記導光体の長手方向と直交する直交線を境に前記光の入光側となる範囲、かつ、前記ピンの中心を通って前記導光体の長手方向と直交する直交方向における前記ピンの横幅となる範囲に設けられている請求項１記載の車両室内用照明装置。
【請求項３】
前記厚肉部は、前記ピン側から前記導光体側へと湾曲しながら至る曲面形状を備える請求項１又は２記載の車両室内用照明装置。
【発明の詳細な説明】
【技術分野】
【０００１】
本発明は、車両室内用照明装置に関する。
【背景技術】
【０００２】
従来より、車両室内を優美に装うために、様々な装飾や機能を備えた内装部品が知られている。また、より高い装飾効果を得るために、照明を用いて上質な意匠を演出する内装部品も知られている。【０００３】
例えば特許文献１には、照明機能を備えた車両用内装材が開示されている。この車両用内装材において、ドアライニング本体とスイッチパネルとの接合部には、照明部材が配設されている。照明部材は、車両室内を照明する光源と、光源からの光を誘導する導光体と、導光体からの光を透過するレンズと、を主体に構成されている。レンズは、ドアライニング本体とスイッチパネルとの接合部に挟持され、スイッチパネルの上面部とほぼ面一に投光部が配置されている。そして、投光部よりも下方に導光体が配置されている。【０００４】
なお、例えば特許文献２には、導光体と、この支持台とを備える線状光源装置が開示されている。この線状光源装置では、導光体の側面に形成された凹凸部と、支持台に形成された係合部とを係合させることで、導光棒の長手方向の位置変動を規制している。
【先行技術文献】
【特許文献】
【０００５】
【特許文献１】特開２０１５−１５５２９８号公報
【特許文献２】特開２０１６−１２４６９号公報
【発明の概要】
【発明が解決しようとする課題】
【０００６】
ところで、この類の照明装置にあっては、導光体とレンズとの位置決め及び固定についてピンを用いて行うものがある。具体的には、導光体にピンを立設し、このピンをレンズに穿孔されているピン穴に挿入することで、導光体とレンズとの位置決め及び固定が行われる。また、外的な荷重を受けた際にピンが折れ易いことから、ピンの基端部における外周全域には、ピンの強度を確保するための厚肉部が設定されている。【０００７】
しかしながら、このような厚肉部を設けた場合、厚肉部のなかで特定の部位が顕著に発光することで、輝点として視認されてしまうという問題がある。この輝点は、導光体から出射される意図した光とは異なるものであるため、有害光となってしまう。特に、強度を確保すべく厚肉部を大きく設定すると輝点も顕著に現れてしまうことから、ピンの強度の対策と有害光の対策との両立に問題があった。【０００８】
本発明はかかる事情に鑑みてなされたものであり、その目的は、ピンの強度の対策と有害光の対策とを両立することができる車両室内用照明装置を提供することである。
【課題を解決するための手段】
【０００９】
かかる課題を解決するために、本発明は、車両室内に装着される内装部品に設けられて車両室内側へと照明光を出射する車両室内用照明装置を提供する。この車両室内用照明装置は、光を出射する光源部と、内装部品に設けられ、光源部からの光を車両室内に向けて出射するレンズと、を有し、光源部は、光を出射する光源ユニットと、光源ユニットから長さ方向の端面に入射された光を内部において伝搬させる棒状の導光体と、を有している。そして、導光体は、導光体に立設され、レンズに穿孔されているピン穴に挿入されることにより導光体とレンズとの位置決め及び固定を行うピンと、ピンの基端部において光源ユニットからの光の入光側に設けられ、ピンを補強する厚肉部と、を備えている。【００１０】
ここで、本発明において、厚肉部は、ピンの中心を通って導光体の長手方向と直交する直交線を境に光の入光側となる範囲、かつ、ピンの中心を通って導光体の長手方向と直交する直交方向におけるピンの横幅となる範囲に設けられていることが好ましい。【００１１】
また、本発明において、厚肉部は、ピン側から導光体側へと湾曲しながら至る曲面形状を備えることが好ましい。
【発明の効果】
【００１２】
本発明の車両室内用照明装置によれば、ピンの強度の対策と有害光の対策とを両立することができる。
【図面の簡単な説明】
【００１３】
【図１】図１は、第１の実施形態に係るドアトリムを模式的に示す斜視図である。
【図２】図２は、図１に示すドアトリムの要部を拡大して示す正面図である。
【図３】図３は、車両室内用照明装置の構成を模式的に示す正面図である。
【図４】図４は、図２に示すＡＡ断面の状態を模式的に示す斜視図である。
【図５】図５は、光源部の構成を模式的に示す正面図である。
【図６】図６は、図５の破線領域を拡大して示す説明図である。
【図７】図７は、厚肉部を説明するための説明図である。
【発明を実施するための形態】
【００１４】
以下、本実施形態に係る車両室内用照明装置をドアトリムに適用して説明する。ここで、図１は、本実施形態に係るドアトリム１を模式的に示す斜視図である。図２は、図１に示すドアトリム１の要部を拡大して示す正面図である。
【００１５】
ドアトリム１は、自動車の車体パネルであるドアインナパネルの車両室内側を覆い、車両室内を装飾する内装部品である。ドアトリム１は、ドアトリム本体２を主体に構成されている。このドアトリム本体２には、その上下方向中央位置に、ドアアームレスト５が設けられている。また、ドアトリム本体２には、ドアアームレスト５よりも下方位置にドアポケット６が形成され、このドアポケット６の前方にスピーカーグリル７が形成されている。
【００１６】
本実施形態において、ドアトリム本体２は、ドアトリムアッパー３と、ドアトリムロア４との上下二分割体から構成されている。また、ドアトリムアッパー３は、第１アッパー部材３ａと、第１アッパー部材３ａの中央位置に設けられた第２アッパー部材３ｂとで構成されている。第２アッパー部材３ｂは、車両前後方向に延在する横長矩形で、かつ、車両後側にかけて上下方向の幅が縮小した形状にされている。第１アッパー部材３ａの所要位置には、内周縁部３ａ１によって囲まれた空間部が形成されている。第２アッパー部材３ｂは、第１アッパー部材３ａの空間部に収容され、第２アッパー部材３ｂの外周縁部３ｂ１が第１アッパー部材３ａの内周縁部３ａ１と接合されている。
【００１７】
ドアトリム本体２は、適宜の合成樹脂材を用いた型成形によって形成されている。また、ドアトリム本体２の所要の部位においては（例えば、ドアトリムアッパー３の第１アッパー部材３ａ及びドアトリムロア４）、樹脂製の芯材の表面に意匠性及びクッション性を備えた表皮材を貼着した構成とされている。なお、ドアトリム本体２は上下二分割構成であるが、ドアトリムアッパー、ドアトリムセンター、ドアトリムロアというように上下三分割構成、あるいは一体構成であってもよい。
【００１８】
本実施形態に係る車両室内用照明装置１０（以下単に「照明装置１０」という）は、車両室内側へと照明光を出射することにより、ドアトリム１を装飾する装置である。この照明装置１０は、ドアトリム１に設けられた隙間に配置されている。具体的には、照明装置１０は、互いに接合されてドアトリムアッパー３を構成する第１アッパー部材３ａと第２アッパー部材３ｂとの上側境界部ＢＰに配置されている。照明装置１０の照明光を通じて上側境界部ＢＰを際立たせることで、見栄えのよいドアトリム１を提供することができる。
【００１９】
図３は、照明装置１０の構成を模式的に示す正面図である。また、図４は、図２に示すＡＡ断面の状態を模式的に示す斜視図である。照明装置１０は、光源部２０と、レンズ３０とを主体に構成されている。なお、図４において、「３ａ２」は第１アッパー部材３ａの芯材を示し、「３ａ３」は第１アッパー部材３ａの表皮材を示す。
【００２０】
光源部２０は、レンズ３０に対して光を出射する。光源部２０は、光源ユニット２１と、導光棒２５とで構成されている。ここで、図５は、光源部２０の構成を模式的に示す正面図である。また、図６は、図５の破線領域を拡大して示す説明図であり、図７は、厚肉部２８を説明するための説明図である。
【００２１】
光源ユニット２１は、１又は複数の光源を備えている。光源としては、例えばＬＥＤを用いることができる。光源ユニット２１は、導光棒２５の長さ方向の端面２５ａに配置され、当該端面２５ａに光を入射させる。光源ユニット２１は、導光棒２５の一方の端面２５ａのみに設けられている。
【００２２】
導光棒２５は、長さ方向の端面２５ａに入射された光源ユニット２１からの光を内部において伝搬させる棒状の導光体である。導光棒２５は、レンズ３０に沿って延在しており、当該レンズ３０の全域にわたる長さを備えている。導光棒２５による光の伝搬は、長手方向の全域に及んでいる。導光棒２５は、アクリルなどの光学樹脂から成形されており、その断面が多角形となる角柱状の棒形状とされている。ただし、導光棒２５は、角柱以外の棒形状（例えば円柱状の棒形状）であってもよい。導光棒２５は、レンズ３０に設けられた保持部３５に配設されている。
【００２３】
導光棒２５において、周方向に連設された複数の側壁面のうち所定の側壁面２５ｂには、光偏向部２６が設けられている。光偏向部２６は、導光棒２５の内部を伝搬される光の一部を偏向させることにより、レンズ３０と向かい合う側壁面２５ｃから光を出射させる機能を担っている。側壁面２５ｂと側壁面２５ｃとは、互いに向かい合う関係にある。光偏向部２６は、例えば側壁面２５ｂの表面を凹凸形状に形成することにより構成されている。凹凸形状の形成は、例えばブラスト処理により側壁面２５ｂの表面を処理する方法、型成形による導光棒２５の成形時に金型により転写する方法などが挙げられる。もっとも、光偏向部２６としての機能を備えるのであれば、凹凸形状の形成はこれらの手法に限られない。また、光偏向部２６は、その機能を実現することができるのであれば、凹凸形状以外の手法で実現してもよい。
【００２４】
導光棒２５は、所要の位置に立設されたピン２７を備えている。ピン２７は、例えば円柱形状を有しており、導光棒２５の底面側の側壁面２５ｄに直立状態で設けられている。保持部３５においてピン２７と対応する位置にはピン穴（図示せず）が設けられており、ピン２７をピン穴に挿入することにより、導光棒２５とレンズ３０との位置決め及び固定が行われる。ピン２７は、導光棒２５と一体に形成されている。
【００２５】
また、導光棒２５は、ピン２７の基端部２７ａ、すなわち、導光棒２５（側壁面２５ｄ）と接続する端部に設けられた厚肉部２８を備えている。この厚肉部２８は、ピン２７の基端部２７ａ側の軸径を増加させて、厚さを大きく設定した部位であり、ピン２７を補強する役割を担っている。本実施形態において、厚肉部２８は、ピン２７側から導光棒２５側へと湾曲しながら至る曲面形状とされている。厚肉部２８は、ピン２７及び導光棒２５と一体に形成されている。
【００２６】
厚肉部２８は、基端部２７ａの外周全域に設けられておらず、光源ユニット２１からの光の入光側、すなわち、光源ユニット２１が配置される端面２５ａ側に設けられている。具体的には、厚肉部２８は、つぎに示す２つの条件を満たす範囲に設けられている。第１の条件は、ピン２７の中心を通って導光棒２５の長手方向と直交する直交線Ｌｏを境に光の入光側となる第１範囲Ｓ１であること。第２の条件は、ピン２７の中心を通って導光棒２５の長手方向と直交する直交方向におけるピン２７の横幅となる第２範囲Ｓ２であること。このように、厚肉部２８は、光源ユニット２１からの光の入光側に対応する限られた範囲、すなわち、第１範囲Ｓ１かつ第２範囲Ｓ２を満たす範囲に限定的に設けられている。換言すれば、ピン２７の基端部２７ａのうち、直交線Ｌｏを境に光の入光側と反対側となる範囲には、厚肉部２８が存在せず、ピン２７の基端部２７ａそのものが存在している。
【００２７】
レンズ３０は、光源部２０、具体的には導光棒２５から出射された光を車両室内に向けて出射する。レンズ３０は、ドアトリム１に設けられた隙間に挟持されている。具体的には、レンズ３０は、第１アッパー部材３ａと第２アッパー部材３ｂとの上側境界部ＢＰ（隙間）に挟持されている。レンズ３０は、この上側境界部ＢＰに沿って延在する横長形状を有している。レンズ３０は、例えばアクリルなどの光学樹脂から成形されている。
【００２８】
レンズ３０は、レンズ本体３１と、保持部３５と、組み付け片３６とで構成されている。
【００２９】
レンズ本体３１は、導光棒２５からの光が入射する光入射面３１ａと、光入射面３１ａから入射した光を車両室内に向けて出射する光出射面３１ｂとを有している。光入射面３１ａは、その表面が例えば凹凸形状に形成されており、光を拡散させる光拡散部としての機能を備えている。このような凹凸形状は、例えば型成形によるレンズ３０の成形時に金型により転写する方法などで得ることができる。もっとも、光拡散部としての機能を備えるものであれば、その形成方法を限定するものではない。また、第１光拡散部の機能を実現することができるものであれば、凹凸形状以外の手法を用いてもよい。
【００３０】
保持部３５は、導光棒２５を保持する機能を担っている。保持部３５は、レンズ本体３１の光入射面３１ａと所定の距離を隔てて対向する縦壁３５ａと、縦壁３５ａとレンズ本体３１とを繋ぐ下壁３５ｂとから構成されている。縦壁３５ａ、下壁３５ｂ及びレンズ本体３１の光入射面３１ａから、導光棒２５を保持するための凹状の収容溝が構成される。下壁３５ｂにおける所要の位置にはピン穴が形成されており、導光棒２５のピン２７をピン穴に挿入することにより、導光棒２５がレンズ本体３１に位置決め及び固定される。保持部３５に保持された状態において、導光棒２５の側壁面２５ｃは、レンズ本体３１の光入射面３１ａと対向する。
【００３１】
組み付け片３６は、レンズ３０を第２アッパー部材３ｂに組み付けて固定するための部材である。組み付け片３６は、保持部３５における所要の範囲に設けられており、当該保持部３５から延設されている。
【００３２】
また、図４に示すように、照明装置１０のレンズ３０と第１アッパー部材３ａとの間には、不織布４０が設けられている。
【００３３】
以下、本実施形態に係る照明装置１０の動作について説明する。まず、光源ユニット２１から出射された光は、導光棒２５の端面２５ａよりその内部へと入射する。導光棒２５の内部へと入射した光は、内部反射を繰り返しながら、導光棒２５の内部を伝搬される。導光棒２５の内部を伝搬される光のうちその一部は、側壁面２５ｂ（光偏向部２６）において反射される際に偏向され、側壁面２５ｃから出射される。
【００３４】
導光棒２５の側壁面２５ｃから出射された光は、レンズ本体３１の光入射面３１ａに入射する。光入射面３１ａに入射した光は、その面において拡散された後、レンズ本体３１の内部を通過する。そして、レンズ本体３１の内部を通過した光は、レンズ本体３１の光出射面３１ｂから車両室内側へと出射される。これにより、車両室内側からドアトリム１に臨んだ場合には、第１アッパー部材３ａと第２アッパー部材３ｂとの上側境界部ＢＰに、線状に発光するレンズ３０を視認することとなる。
【００３５】
このように本実施形態において、光源部２０をなす導光棒２５は、導光棒２５に立設されたピン２７と、ピン２７の基端部２７ａのうち光源ユニット２１からの光の入光側に設けられ、ピン２７を補強する厚肉部２８と、を備えている。
【００３６】
ところで、基端部２７ａの外周全域に厚肉部２８を設定した場合、厚肉部２８のうち直交線Ｌｏを境に光の入光側とは反対側の部位において光が反射（乱反射）することで、これが輝点として視認されてしまうことがある。この輝点は、導光棒２５から出射する本来の光とは異なるものであるため、有害光となる。このため、レンズ本体３１における均一な発光を妨げる虞がある。
【００３７】
この点、本実施形態によれば、光源ユニット２１からの光の入光側に限定して厚肉部２８が存在している。このために、導光棒２５の内部を伝搬された光が反射（乱反射）する部位が存在しないため、これが輝点として認識されなくなる。また、光の入光側にあっては、厚肉部２８が存在する場合であっても光の反射の影響が少ない。そのため、有害光が抑制されるので、レンズ本体３１における均一な発光を実現することができる。一方で、厚肉部２８を部分的に設けているため、ピン２７についての剛性が確保される。その結果、ピン２７の強度の対策と有害光の対策とを両立することができる。
【００３８】
また、本実施形態において、厚肉部２８は、第１範囲Ｓ１かつ第２範囲Ｓ２となる範囲に設けられている。
【００３９】
この構成によれば、厚肉部２８をピン２７の最大幅で設定することができる。これにより、有害光を抑制しつつ、ピン２７の剛性を最大限に得ることができる。
【００４０】
また、本実施形態において、厚肉部２８は、ピン２７側から導光棒２５側へと湾曲しながら至る曲面形状を備えている。しかしながら、厚肉部２８は、この形状に限らず、ピン２７側から導光棒２５側へと直線的に至る平面形状からなるものであってもよい。
【００４１】
以上、本実施形態の車両室内用照明装置について説明したが、本発明はこの実施形態に限定されることなく、その発明の範囲において種々の変更が可能である。
【００４２】
また、車両用内装部材としては、ドアトリムに限らず、インストルメントパネル、ルーフパネルなど種々のものに適用することができる。また、上述した実施形態では、２つの内装部材の境界部に照明装置を配置しているが、一体の内装部品に形成された隙間に照明装置を配置したり、内装部品の端部や任意の箇所に配置したりしてもよい。
【符号の説明】
【００４３】
１      ドアトリム
２      ドアトリム本体
３      ドアトリムアッパー
３ａ    第１アッパー部材
３ｂ    第２アッパー部材
４      ドアトリムロア
１０      照明装置
２０      光源部
２１      光源ユニット
２５      導光棒（導光体）
２５ａ    端面
２５ｂ，２５ｃ，２５ｄ    側壁面
２７      ピン
２７ａ    基端部
２８      厚肉部
３０      レンズ
３１      レンズ本体
３１ａ    光入射面
３１ｂ    光出射面
３５      保持部
３６      組み付け片
Ｌｏ      直交線
Ｓ１      第１範囲
Ｓ２      第２範囲
【図１】
2019049357.tif 000003
【図２】
2019049357.tif 000004
【図３】
2019049357.tif 000005
【図４】
2019049357.tif 000006
【図５】
2019049357.tif 000007
【図６】
2019049357.tif 000008
【図７】
2019049357.tif 000009
【国際調査報告】
2019049357.tif 000010
2019049357.tif 000011
2019049357.tif 000012
2019049357.tif 000013